(57)【要約】【課題】長尺テーブルのための平面度の高精度保持や組立性の困難や熱変位の防止等を図るため長尺テーブルを分離して連結する構造とし、以上の問題点を解決する長尺分離テーブルを提供する。【解決手段】長尺テーブル１００は隙間１を介してテーブル１００Ａとテーブル１００Ｂに分離され、その間にはフレキシブルの連結具２により連結される。この場合移動機構部３００はテーブル１００Ａに取り付けられる。【選択図】図１
2010162657.tif 000002
【特許請求の範囲】
【請求項１】
上面側に加工物を搭載し下面側にテーブルの移動機構部を設け水平方向に沿って移動する長尺テーブルであって、該テーブルはその移動方向の中間部位において隙間δを介して分離され、フレキシブルの連結具で連結結合されるものからなることを特徴とする長尺分離テーブル。
【発明の詳細な説明】
【技術分野】
【０００１】
本発明は、長尺テーブルの構造に係り、特にその中間部が隙間を介して分離されて連結結合され、熱伝導の低減と組立性の向上を図る長尺分離テーブルに関する。
【背景技術】
【０００２】
図５に示すように、長い加工物２００を搭載して移動させるためには長尺テーブル１００が通常使用されている。この長尺テーブル１００は、加工物を搭載する面が平坦で高精度に仕上げられることが必要であり、長尺のままだと高精度加工が難しい問題点がある。また、長尺テーブル１００の下面はガイドベース４００に支持され、下面側にはこの長尺テーブル１００を移動させるための移動機構部３００が設けられている。しかしながら、この移動機構部３００を長尺テーブル１００に取付けるためには、図６に示すように長尺テーブル１００を反転させる必要があり、組み付けに多大の労力と時間を必要とする。そのため、この作業を円滑に行うため長尺テーブル１００は図４に示すように分離され、テーブル１００Ａ及び１００Ｂを連結結合するものが従来より使用されている。
また、テーブルを分離して配列するものとして「特許文献１」や「特許文献２」が挙げられる。
【先行技術文献】
【特許文献】
【０００３】
【特許文献１】特開平８−２６７０号公報（図１）
【特許文献２】特開平９−２６７１４１号公報（図１）
【発明の概要】
【発明が解決しようとする課題】
【０００４】
「特許文献１」の「特開平８−２６７０号」の「切断ワークの分離装置」及び「特許文献２」の「特開平９−２６７１４１号」の「板材加工機のテーブル装置」は、図示のようにテーブルが分離されている構造が開示されているが、この分離部については本発明の目的及び効果とは全く相違するものであり、単に分離部を形成しているに過ぎない。
また、図４に示すように、分離されたテーブル１００Ａ及び１００Ｂを隙間なしに接触させ、これを複数のボルト３等により強固に連結するものについては、その当接端部の直角度が高精度に加工仕上げられていないと結合によって相互テーブル１００Ａ及び１００Ｂに変形が生じ易く、長尺テーブル１００の全体の平面度を高精度に保持することが困難となる問題点がある。また、テーブル１００Ａとテーブル１００Ｂが密接結合されているためテーブル間で熱の伝達があり、結果として長尺テーブル１００の平面度を狂わせる問題点が発生する。
【０００５】
本発明は、以上の事情に鑑みて発明されたものであり、上面の平面度を高精度に保持でき、テーブル間の熱伝達も少なく、かつ組立性の向上が図れる長尺分離テーブルを提供することを目的とする。
【課題を解決するための手段】
【０００６】
本発明は、以上の目的を達成するために、請求項１の発明は、上面側に加工物を搭載し下面側にテーブルの移動機構部を設け水平方向に沿って移動する長尺テーブルであって、該テーブルはその移動方向の中間部位において隙間δを介して分離され、フレキシブルの連結具で連結結合されるものからなることを特徴とする。
【発明の効果】
【０００７】
本発明の請求項１の長尺分離テーブルによれば、長尺テーブルが隙間を介し分離されると共に、フレキシブルの連結具により連結結合されているためテーブルの加工が容易となり、高精度の平面加工ができ、更に隙間があるため熱伝達度が少なく、作動時における熱変形がなく、更に反転作業も容易にできて移動機構部の組立性の向上が図れ、更にフレキシブルの連結具の使用により分離されたテーブル間の相互変形による平面度の低下が防止され、常に高精度の平面度を保持できる効果を上げることができる。
【図面の簡単な説明】
【０００８】
【図１】本発明の長尺テーブルの全体構造を示す正面図。
【図２】本発明の長尺テーブルの隙間の部分を示す部分拡大正面図。
【図３】本発明の長尺テーブルに移動機構部を取り付ける手順を示す模式的平面図。
【図４】従来の長尺テーブルの分離及び連結状態を示す部分正面断面図。
【図５】従来の分離のない長尺テーブルを示す正面図。
【図６】図５に示す長尺テーブルにおける移動機構部の取り付け手順を示す正面図。
【発明を実施するための形態】
【０００９】
［実施例］
以下、本発明の長尺分離テーブルの実施の形態を図面を参照して詳述する。
図１に示すように、長尺テーブル１００は２分離され、テーブル１００Ａとテーブル１００Ｂとからなるが、本発明の長尺テーブルの分離は２分離に限定するものではないが、以下の説明では２分離の場合についてのみ説明する。
図１及び図２に示すように、テーブル１００Ａとテーブル１００Ｂとの隙間１を介して配置される。この隙間１は微少隙間δからなるが、このδの値は長尺テーブル１００の大きさや材質等により適宜決定されるものであり、その詳細説明は省略するがテーブル１００Ａやテーブル１００Ｂの熱変形等によりこの隙間１がゼロになるものではない。
【００１０】
テーブル１００Ａとテーブル１００Ｂの端面は隙間１を介して向き合っているが、この端面間はフレキシブルの連結具２により連結される。この連結具２の詳細構造はここでは説明しないが、テーブル１００Ａやテーブル１００Ｂとの間に相対移動が有った場合に、その相対移動を緩和又は無くしてテーブル１００Ａやテーブル１００Ｂの上面の平面度や同一度を保持する機能を有するものが採用される。
【００１１】
以上の構造の長尺テーブル１００はガイドベース４００上に搭載され、テーブル１００Ａの下面に設けられる移動機構部３００により水平方向に移動し、加工物２００を移動する。
【００１２】
図３は、本発明の長尺テーブル１００における移動機構部３００の取り付け手段を示す模式図である。まず、図３（ａ）に示すように連結具２を取り外し、テーブル１００Ａとテーブル１００Ｂを切り離す。次に、図３（ｂ）に示すようにテーブル１００Ａのみを反転させ、その下面側に移動機構部３００を取り付ける。上方からの取り付けのため移動機構部３００の取り付け作業が容易にでき、組立性の向上が図られる。次に、図３（ｃ）に示すように移動機構部３００を取り付けたテーブル１００Ａを反転させ、再び連結具２によりテーブル１００Ａとテーブル１００Ｂとを連結結合する。
【００１３】
本発明は以上の構造からなるため、前記のように組立性の向上が図れると共に、隙間１の存在によりテーブル１００Ａとテーブル１００Ｂとの間の熱伝導が緩和され、長尺テーブル１００の平面度を高精度に保持することができる。
【００１４】
本発明は、以上の内容からなるが、本発明は以上の内容に限定するものではなく、同一技術的範疇のものが適用されることは勿論である。
【産業上の利用可能性】
【００１５】
本発明は、加工物等の加工装置や移動体の移動のために用いられるテーブル、特に長尺のテーブルのすべてに適用され、その利用範囲は極めて広い。
【符号の説明】
【００１６】
１        隙間
２        連結具（フレキシブル）
３        ボルト等
１００    長尺テーブル
１００Ａ  テーブル
１００Ｂ  テーブル
２００    加工物
３００    移動機構部
４００    ガイドベース
【図１】
2010162657.tif 000003
【図２】
2010162657.tif 000004
【図３】
2010162657.tif 000005
【図４】
2010162657.tif 000006
【図５】
2010162657.tif 000007
【図６】
2010162657.tif 000008